(57)【要約】  本発明は鍬に関するものであり、この鍬は、サメのヒレに似た付加的な切断部を有し、この切断部が９０度の角度で刃の上に位置するとともに、切断部の前側が約４５度であり、それにより、Ｔ形の切り込みを利用して、タンポポ属植物全体を手で取り除くことができるとともに、足で土壌の塊を押し戻すことができ、その結果、芝生に対する損傷が最小となる。【選択図】図２
2011521659.tif 000002
【特許請求の範囲】
【請求項１】
サメのヒレに似た付加的な切断部を有する鍬であって、前記切断部が９０度の角度で前記鍬の上に配置されるとともに、前記切断部の前側が約４５度であり、それにより、芝生のＴ形の切り込みを利用して、手で植物全体を取り除くことが可能であるとともに、足で土壌の塊を押し戻すことができ、その結果、前記芝生に対する損傷が最小となることを特徴とする鍬。
【請求項２】
請求項１に記載の鍬において、
前記植物がタンポポ属植物であることを特徴とする鍬。
【請求項３】
請求項１に記載の鍬において、
前記ヒレの前側と刃との間の角度が約４５度であることを特徴とする鍬。
【請求項４】
請求項１に記載の鍬において、
前記ヒレの前側が約４５度であることを特徴とする鍬。
【発明の詳細な説明】
【技術分野】
【０００１】
本発明は、鍬に関するものである。
【背景技術】
【０００２】
タンポポとしても知られるタンポポ属植物（taraxacum）は、長くて深い根を有するが、その根は必ずしも真っ直ぐ下方に成長すると限らないため、芝生に深刻な損傷を与えることなく、既存の園芸用具を使用して、その根を完全に取り除くのはほぼ不可能である。
【０００３】
従来技術により従来の鋤を使用して芝生からタンポポ属植物を取り除く際には、通常は普通の鍬を地面に挿入する。鍬を使用して人の身体に向けてそれを押し下げるときに、草および含まれるタンポポ属植物とともに一塊の土を鍬が持ち上げることとなる。ところが、根のより深い部分は、土壌のより深い部分から分離される。これは、従来技術による鍬が、周囲の草および土と一緒に、タンポポ属植物をその根全体もろとも押し上げることを意味する。このように、たとえ根全体が土壌のより深い部分から持ち上げられたとしても、タンポポ属植物をその根全体とともに手で取り除くことはできない。
【発明の概要】
【０００４】
鍬の刃に垂直なフィン（ヒレ）であって、その前側が鍬の刃に対して約４５度の角度を有するフィンを鍬に加えることにより、鍬は１の切り込み（incision）ではなく、２の切り込みを形成するものとなる。それら切り込みは、文字Ｔに類似するように、それらの間に９０度の角度を有し、文字Ｔの下端部がタンポポ属植物に向けられる。
【図面の簡単な説明】
【０００５】
【図１】図１は、シャーク鍬（sharkspade）の正面図を示している。シャーク鍬は、柄１０１、刃１０２およびフィン１０３を有する。
【図２】図２は、シャーク鍬の側面図を示している。
【発明を実施するための形態】
【０００６】
シャーク鍬により、Ｔ形の切り込みが芝生に形成され、その切り込みは、文字Ｔの下端部がタンポポ属植物を指すように、タンポポ属植物に向けられる。よって、１ではない土壌の塊が、押し上げられることとなるが、フィンが切り込みを形成する位置で少し離間する半分の塊となる。鍬が土壌のより深い部分の根の下側部分も解放するため、タンポポ属植物を手で取り除くことが可能であり、その後に、２つの塊の土壌を押し戻すことができる。このため、目に見える僅か２の切り込みのみが残り、芝生に対するダメージが最小となる。フィンは根の近くに置くべきである。フィンの切り込みがタンポポ属植物に向けられるため、土壌が分かれて、タンポポ属植物の根に近い芝生に小さな開口を形成することとなる。シャーク鍬は、土壌のより深い部分から根全体を持ち上げることとなる。曝されて持ち上げられたタンポポ属植物は、その根とともに、その後、手で容易に取り除くことができる。したがって、シャーク鍬は、根を含むタンポポ属植物全体の手による除去を容易にする。根全体を取り除かないとタンポポ属植物が再び蘇ることとなるため、根全体を取り除くことは重要である。要約すると、本発明は、サメのヒレに類似の切断部を有する鍬に関し、その切断部が鍬の上に９０度の角度で配置されて、切断部の前側が約４５度をなし、それにより、芝生に損傷を与えることなく地面からタンポポ属植物を取り除くことを可能にするものである。
【０００７】
なお、シャーク鍬がタンポポ属植物を取り除くために使用できるだけではなく、根が比較的深く成長してそれが必ずしも真っ直ぐ下方に成長するものではない植物の中から、タンポポ属植物の根の特徴と類似の特徴を有する根を持つその他の植物を取り除くためにも使用できることは、当業者にとって明らかであろう。
【図１】
2011521659.tif 000003
【図２】
2011521659.tif 000004
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
柄（１０１）と、サメのヒレに似た付加的な切断部（１０３）を有する刃（１０２）とを備える鍬であって、
前記付加的な切断部（１０３）が９０度の角度で前記刃の上に配置されるとともに、前記付加的な切断部の前側が前記刃（１０２）に対して約４５度の角度を有し、それにより、芝生のＴ形の切り込みを利用して、手で植物全体を取り除くことが可能であるとともに、足で土壌の塊を押し戻すことができ、その結果、前記芝生に対する損傷が最小となり、
前記付加的な切断部の前側が直線状であり、
前記付加的な切断部の前側が、土壌と噛み合う前記刃の端部で、前記刃（１０２）につながることを特徴とする鍬。
【請求項２】
請求項１に記載の鍬において、
前記植物がタンポポ属植物であることを特徴とする鍬。
【請求項３】
請求項１に記載の鍬において、
前記刃（１０２）の土壌と噛み合う部分が直線状であることを特徴とする鍬。
【手続補正書】
【提出日】平成23年2月3日(2011.2.3)
【手続補正１】
【補正対象書類名】図面
【補正対象項目名】図１
【補正方法】変更
【補正の内容】
【図１】
2011521659.tif 000005
【手続補正２】
【補正対象書類名】図面
【補正対象項目名】図２
【補正方法】変更
【補正の内容】
【図２】
2011521659.tif 000006
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
柄（１０１）と、サメのヒレに似た付加的な切断部（１０３）を有する刃（１０２）とを備える鍬であって、
前記付加的な切断部（１０３）が９０度の角度で前記刃の上に配置されるとともに、前記付加的な切断部の前側が前記刃（１０２）に対して約４５度の角度を有し、それにより、芝生のＴ形の切り込みを利用して、手で植物全体を取り除くことが可能であるとともに、足で土壌の塊を押し戻すことができ、その結果、前記芝生に対する損傷が最小となり、
前記付加的な切断部の前側が直線状であり、
前記付加的な切断部の前側が、土壌と噛み合う前記刃の端部で、前記刃（１０２）につながり、
前記付加的な切断部が前記刃に結合される前記付加的な切断部の側部が、前記刃の長さと実質的に同じ長さを有することを特徴とする鍬。
【請求項２】
請求項１に記載の鍬において、
前記植物がタンポポ属植物であることを特徴とする鍬。
【請求項３】
請求項１に記載の鍬において、
前記刃（１０２）の土壌と噛み合う部分が直線状であることを特徴とする鍬。
【国際調査報告】
2011521659.tif 000007
2011521659.tif 000008